(57)【特許請求の範囲】
【請求項１】
角形底板の外周に一対の側板および一対の端板を設けた外ケースと、その外ケース内に組込まれて前記一対の端板内面に沿って左右方向に移動可能な底板付きの角形の内ケースと、その内ケースの底板と前記外ケースの底板間に組込まれ、外径が外ケースの一対の側板間の寸法よりやや小径の円形のカムプレートとから成り、前記カムプレートには中心に対する偏心位置に表面側に突出する円形の突軸と、その突軸の中心に対する偏心位置に曲率中心をもつ円弧状のガイド孔と、そのガイド孔の両端から周方向にずれた位置に裏面側に突出する可動ピンとを設け、前記内ケースの底板には前記突軸が挿入される円形の軸挿入孔を形成し、前記外ケースの底板にはカムプレートのガイド孔に挿入される固定ピンと、カムプレートの可動ピンが挿入されるガイド溝とを設け、そのガイド溝を前記カムプレートを回転させて突軸を左右方向に移動させた際の可動ピンの移動軌跡に沿う形状としたボルト受金具。
【発明の詳細な説明】
【０００１】
【発明の属する技術分野】
この発明は、扉に取付けられた扉錠のラッチボルトやデッドボルトが係合されるボルト受金具に関するものである。
【０００２】
【従来の技術】
一般に、出入口を扉によって開閉させる扉装置においては、扉の戸先側に扉錠を埋め込みにより取付け、一方、扉枠のたて枠には、扉錠と対応する位置にボルト係合孔を有するボルト受金具を取付け、前記扉の閉鎖状態で、扉錠のラッチボルトをボルト受金具のボルト係合孔に係合させて扉を閉鎖状態に保持するようにしている。
【０００３】
ここで、受金具とラッチボルトの対応部間に取付け位置にずれがあると、扉の閉鎖状態でラッチボルトを受金具のボルト係合孔に係合させることができない場合や、受金具のボルト係合孔にラッチボルトが係合したとしても、その係合部間に間隙が形成され、扉にがたつきを生じる場合がある。
【０００４】
このような場合、普通、受金具の取付け位置を調整することが行なわれるが、受金具の全体を位置調整する構成では調整に手間がかかるという問題がある。
【０００５】
そのような問題点を解決するため、図５および図６に示す受金具が提案されている。この受金具は、扉枠のたて枠に取付けられる外ケース４０の底板４１と、その外ケース４０内に組込まれて左右方向に移動可能な内ケース４２の底板４３間に円形のカムプレート４４を組込み、そのカムプレート４４の外径を外ケース４０の対向する側板４５間の寸法よりやや小径とし、そのカムプレート４４の中心に対する偏心位置に突軸４６を設け、その突軸４６を内ケース４２の底板４３に形成された軸挿入孔４７に挿入している。４８はフロントプレートを示し、ボルト挿入孔４９が形成されている。
【０００６】
上記の構成から成る受金具においては、外ケース４０を扉枠に固定した状態で突軸４６の端面に形成された係合溝５０にドライバを係合してカムプレート４４を回転させることにより、突軸４６がカムプレート４４の中心に対して偏心回転する。このとき、内ケース４２は左右方向にのみ移動可能であって上下方向には非可動であるため、カムプレート４４は回転しつつ上下方向に移動することになる。
【０００７】
このため、突軸４６は左右方向に移動し、内ケース４２を左右方向に位置調整することができる。このように、突軸４６に回転力を付与することによってラッチボルトが係合される内ケース４２を左右方向に位置調整することができるため、調整作業が容易であるという特徴を有する。
【０００８】
【発明が解決しようとする課題】
ところで、上記従来の受金具においては、扉が衝撃的に閉鎖されて内ケース４２に左右方向の衝撃力が付与されると、その内ケース４２を介してカムプレート４４に回転力が負荷されてカムプレート４４が回転し、そのカムプレート４４の回転によって内ケース４２が左右方向に移動することになり、内ケース４２を調整位置において安定よく保持することができないという不都合がある。
【０００９】
この発明の課題は、カムプレートの回転によってラッチボルトやデッドボルトが係合される内ケースを左右方向に位置調整し得るようにした受金具において、その内ケースを調整位置で安定よく保持できるようにすることである。
【００１０】
【課題を解決するための手段】
上記の課題を解決するために、この発明においては、角形底板の外周に一対の側板および一対の端板を設けた外ケースと、その外ケース内に組込まれて前記一対の端板内面に沿って左右方向に移動可能な底板付きの角形の内ケースと、その内ケースの底板と前記外ケースの底板間に組込まれ、外径が外ケースの一対の側板間の寸法よりやや小径の円形のカムプレートとから成り、前記カムプレートには中心に対する偏心位置に表面側に突出する円形の突軸と、その突軸の中心に対する偏心位置に曲率中心をもつ円弧状のガイド孔と、そのガイド孔の両端から周方向にずれた位置に裏面側に突出する可動ピンとを設け、前記内ケースの底板には前記突軸が挿入される円形の軸挿入孔を形成し、前記外ケースの底板にはカムプレートのガイド孔に挿入される固定ピンと、カムプレートの可動ピンが挿入されるガイド溝とを設け、そのガイド溝を前記カムプレートを回転させて突軸を左右方向に移動させた際の可動ピンの移動軌跡に沿う形状とした構成を採用している。
【００１１】
上記のように構成すれば、突軸に回転力を付与すると、突軸が挿入された軸挿入孔を有する内ケースは左右方向にのみ移動自在であるため、カムプレートは回転しつつ上下方向に移動して突軸が左右方向に移動し、その移動によって内ケースを左右方向に位置調整することができる。
【００１２】
カムプレートの回転時、そのカムプレートに設けられたガイド孔は固定ピンに沿って移動すると共に可動ピンはガイド溝に沿って移動し、カムプレートは２個所において接触案内される状態で回転することになる。このため、内ケースの位置調整後、扉の衝撃的な閉鎖によって内ケースに左右方向の外力が付与されると、その外力はガイド孔と固定ピンの接触部および可動ピンとガイド溝の接触部で受けられることになり、カムプレートに回転力が付与されることはなく、内ケースを調整位置において安定よく保持することができる。
【００１３】
【発明の実施の形態】
以下、この発明の実施の形態を図１乃至図４に基づいて説明する。図１乃至図３に示すように、この発明に係るボルト受金具は、外ケース１と、その外ケース１内に組込まれた内ケース１１と、その両ケース１、１１間に組込まれた円形のカムプレート２１および前記内ケース１１上に配置されるフロントプレート３１とから成る。
【００１４】
外ケース１は、角形底板２の外周に一対の側板３および一対の端板４を設けた角形の箱体から成り、前記各端板４の端縁には外向きの取付片５が形成され、各取付片５にねじ挿入孔６が設けられている。
【００１５】
内ケース１１は、角形の底板１２の外周に一対の側板１３および一対の端板１４を設けた角形の箱体から成り、各側板１３の端縁には外向きにフランジ１５が設けられている。内ケース１１の一対の端板１４の外面間の寸法は、外ケース１の一対の端板４の内面間の寸法よりやや小さく、外ケース１内に対する内ケース１１の組込みによって、内ケース１１は外ケース１の端板４の内面に沿って左右方向にほぼ平行に移動自在とされる。このとき、フランジ１５は外ケース１の側板３の端縁で支持され、内ケース１１の底板１２と外ケース１の底板２間にカムプレート２１を組込み可能とするスペースが確保される。
【００１６】
カムプレート２１は、外ケース１の底板２と内ケース１１の底板１２間に組込まれている。カムプレート２１の外径は外ケース１の一対の側板３の内面間の寸法よりやや小径とされ、回転時には上記側板３の内面によって接触案内される。
【００１７】
カムプレート２１には、中心Ｏに対する偏心位置に表面側に突出する円形の突軸２２が形成され、その突軸２２の端面にドライバが係合可能な係合溝２３が設けられている。
【００１８】
また、カムプレート２１には前記突軸２２に対する偏心位置に曲率中心をもつ円弧状のガイド孔２４と、そのガイド孔２４の両端から周方向にずれた位置に裏面側に突出する可動ピン２５とが設けられている。なお、実施の形態では、ガイド孔２４の曲率中心をカムプレート２１の中心Ｏに一致させている。
【００１９】
カムプレート２１に設けられた前記突軸２２は、内ケース１１の底板１２に形成された円形の軸挿入孔１６内に回転自在に挿入されている。また、カムプレート２１に形成された前記ガイド孔２４内には外ケース１の底板２上面に設けられた固定ピン７が挿入され、さらに、可動ピン２５は外ケース１の底板２に形成されたガイド溝８内に挿入されている。
【００２０】
ここで、ガイド溝８は、カムプレート２１を回転させつつ突軸２２を左右方向に水平移動させたときの可動ピン２５の移動軌跡に沿う形状とされている。
【００２１】
前記フロントプレート３１は、外ケース１の全体を覆う大きさとされ、その中央部にはラッチ挿入孔３２が形成されている。また、フロントプレート３１の上下部には外ケース１の取付片５に形成されたねじ挿入孔６と対応する位置に取付孔３３が設けられている。このフロントプレート３１を外ケース１の取付片５に重ね合わせた状態において、フロントプレート３１の背面と外ケース１の側板３の端縁間に内ケース１１のフランジ１５の厚みより大きい間隙が形成され、内ケース１１の左右方向の移動を阻害することのないようにされている。
【００２２】
実施の形態で示すラッチ受金具は上記の構造から成り、そのラッチ受金具の取付けに際しては、図１に示すように、外ケース１内にカムプレート２１および内ケース１１を組込み、その外ケース１を扉枠Ａのたて枠ａに形成された凹部ｂ内に挿入し、外ケース１の取付片５をたて枠ａの表面に衝合させたのち、その上側にフロントプレート３１を重ね、そのフロントプレート３１の取付孔３３から取付孔５のねじ挿入孔６に挿入されたねじ（図示省略）をたて枠ａに形成されたねじ孔（図示省略）にねじ込み、そのねじの締付けによって外ケース１およびフロントプレート３１を固定する。
【００２３】
上記のようなボルト受金具の取付け状態のおいて、扉Ｂを閉じ、その扉Ｂに設けられた扉錠のラッチボルトＣと内ケース１１とが左右方向にずれがあって、内ケース１１にラッチボルトＣが正確に係合しない場合には、内ケース１１の左右方向の位置を調整する。
【００２４】
内ケース１１の位置調整に際しては、カムプレート２１の突軸２２に形成された係合溝２３にドライバを係合して、突軸２２に軸心を中心とする回転力を付与してカムプレート２１を回転させる。
【００２５】
このとき、カムプレート２１は外ケース１の側板３内面で接触案内されると共に、内ケース１１は外ケース１の一対の端板４内面で案内されて左右方向へのみ移動可能であるため、カムプレート２１は回転しつつ上下方向に移動し、突軸２２は左右方向に移動する。
【００２６】
図４は、カムプレート２１を図１に示す状態から左回転させたときの状態を示し、カムプレート２１の突軸２２は図１に示す状態から右方向に移動し、その突軸２２の移動により内ケース１１は右方向に位置調整される。
【００２７】
なお、カムプレート２１を図１に示す状態から右回転させると、突軸２２は左方向に移動し、内ケース１１は左方向に位置調整される。
【００２８】
カムプレート２１の回転時、ガイド孔２４は固定ピン７で案内され、一方、可動ピン２５はガイド溝８に案内されてそのガイド溝８内を移動し、カムプレート２１は２箇所で接触案内されて回転することになり、固定ピン７はガイド孔２４に嵌合し、かつ可動ピン２５はガイド溝８に嵌合された状態にある。
【００２９】
このため、内ケース１１の位置調整後、扉Ａが衝撃的に閉鎖されて内ケース１１に左右方向の外力が付与されても、その外力は固定ピン７とガイド孔２４の接触部および可動ピン２５とガイド溝８の接触部で受けられることになり、カムプレート２１は回転することがなく、内ケース１１は調整位置で安定よく保持される。
【００３０】
【発明の効果】
以上のように、カムプレートに設けられた突軸に回転力を付与する簡単な操作によって内ケースを左右方向に位置調整することができると共に、カムプレートに設けられたガイド孔は固定ピンに嵌合し、また、可動ピンはガイド溝内に嵌合する状態で回転して内ケースを左右方向に位置調整するため、内ケースに左右方向の外力が付与されてもカムプレートは回転することがなく、内ケースを調整位置において安定よく保持することができる。
【図面の簡単な説明】
【図１】この発明に係るボルト受金具の実施の形態を示す横断平面図
【図２】図１の縦断正面図
【図３】図１に示すボルト受金具の分解斜視図
【図４】図１に示す内ケースの位置調整状態を示す縦断正面図
【図５】従来のボルト受金具を示す縦断正面図
【図６】図５に示すボルト受金具の分解斜視図
【符号の説明】
１  外ケース
２  底板
３  側板
４  端板
７  固定ピン
８  ガイド溝
１１  内ケース
１２  底板
１６  軸挿入孔
２１  カムプレート
２２  突軸
２４  ガイド孔
２５  可動ピン
【図１】
0004104368.tif 000002
【図２】
0004104368.tif 000003
【図３】
0004104368.tif 000004
【図４】
0004104368.tif 000005
【図５】
0004104368.tif 000006
【図６】
0004104368.tif 000007